(57)【要約】【課題】安全な支持具を提供すること。【解決手段】支持具２０は、端末１０に貼着され、一端側に被取付部３１を有すると共に長尺のスリット３２を有する固定部３０と、被取付部３１に取り付けられる取付部４１を一端側に有し、スリット３２に沿って摺動可能に係合する摺動突起を他端側に有する可撓性シート状の可動部４０と、を備える。固定部３０は、被取付部３１及びスリット３２の間において可動部４０側の面に凹部３５を有し、凹部３５内に静電気除去シート３４を配置している。【選択図】図１
0003218326.tif 000002
【実用新案登録請求の範囲】
【請求項１】
端末に貼着され、一端側に被取付部を有すると共に長尺のスリットを有する固定部と、
前記被取付部に取り付けられる取付部を一端側に有し、前記スリットに沿って摺動可能に係合する摺動突起を他端側に有する可撓性シート状の可動部と、
を備え、
前記固定部は、前記被取付部及び前記スリットの間において前記可動部側の面に凹部を有し、該凹部内に静電気除去シートを配置している、
ことを特徴とする支持具。
【請求項２】
前記静電気除去シートは、前記固定部の短手方向に長い長矩形状に形成されることを特徴とする請求項１に記載の支持具。
【請求項３】
前記静電気除去シートの表面と前記固定部の表面とは同一面上に形成されることを特徴とする請求項１又は請求項２に記載の支持具。
【請求項４】
前記摺動突起を前記スリット内において前記被取付部側に摺動させた際、前記可動部の前記被取付部側の変曲部が前記静電気除去シートの上方に位置する、ことを特徴とする請求項１乃至請求項３の何れかに記載の支持具。
【請求項５】
前記静電気除去シートは、導電性の不織布により形成され、前記凹部の底部と貼着されることを特徴とする請求項１乃至請求項４の何れかに記載の支持具。
【考案の詳細な説明】
【技術分野】
【０００１】
本考案は支持具に関する。
【背景技術】
【０００２】
従来から、ベルト状または紐状の指掛止部材を有する携帯型操作機の保持装置が開示されている（例えば、特許文献１）。この保持装置では、指掛止部材の長さを、指掛止部材と携帯型操作機の間に１本の指を挿入できる間隙を形成すると共に、指の挿入後に他の指で指掛止部材を外側から押圧することにより、指掛止部材に挿入した指を締め付けて、携帯型操作機を保持している。
【先行技術文献】
【特許文献】
【０００３】
【特許文献１】特開２００７−３６６１９号
【考案の概要】
【考案が解決しようとする課題】
【０００４】
しかし、特許文献１の指掛止部材で携帯型操作機を保持する際、乾燥等により静電気が帯電した使用者が携帯型操作機の筐体に触れると放電を起こし、携帯型操作機に不具合を発生させることが想定される。
【０００５】
本考案は、以上の点に鑑み、安全な支持具を提供することを目的とする。
【課題を解決するための手段】
【０００６】
本考案に係る支持具は、端末に貼着され、一端側に被取付部を有すると共に長尺のスリットを有する固定部と、前記被取付部に取り付けられる取付部を一端側に有し、前記スリットに沿って摺動可能に係合する摺動突起を他端側に有する可撓性シート状の可動部と、を備え、前記固定部は、前記被取付部及び前記スリットの間において前記可動部側の面に凹部を有し、該凹部内に静電気除去シートを配置している、ことを特徴とする。
【考案の効果】
【０００７】
本考案によれば、安全な支持具を提供することができる。
【図面の簡単な説明】
【０００８】
【図１】本考案の実施形態に係る支持具を取り付けた端末の背面斜視図である。
【図２】本考案の実施形態に係る支持具の表側から見た分解斜視図である。
【図３】本考案の実施形態に係る支持具の裏側から見た分解斜視図である。
【図４】本考案の実施形態に係る図１に示す支持具のＩＶ−ＩＶ断面図である。
【考案を実施するための形態】
【０００９】
次に、本考案の実施形態を説明する。図１は支持具２０を取り付けた端末１０の背面斜視図である。本図では、端末１０として長矩形板状に形成されたスマートフォンを例示している。端末１０は、表面１１側に表示部を有し、裏面１２側に略平面な筐体面を有する。なお、端末１０は、タブレット、パーソナルコンピュータ等の手によって保持可能な程度の大きさの電子機器とすることができる。
【００１０】
支持具２０は、端末１０の裏面１２に貼着される。支持具２０は、端末１０の長尺方向と支持具２０の長尺方向とが略一致するように配置される。支持具２０は固定部３０及び可動部４０を有しており、使用者は可動部４０の一端側を摺動させて固定部３０と可動部４０との間に空間６０を形成することにより、空間６０内に指を挿入して端末１０を容易に支持することができる。また、支持具２０は、破線で示すように固定部３０と面当接するように可動部４０の一端側を摺動させて収容することができる。
【００１１】
図２は支持具２０の表側から見た分解斜視図であり、図３は支持具２０の裏側から見た分解斜視図である。また、図４は、図１に示す支持具２０のＩＶ−ＩＶ断面図であり、固定部３０側を下、可動部４０側を上に配置して図示している。
【００１２】
支持具２０は、固定部３０と、固定部３０に取り付けられる可撓性シート状の可動部４０と、固定部３０に貼着される粘着シート５０とを備える。固定部３０、可動部４０及び粘着シート５０は、図２及び図３の左右に長尺な略矩形薄板状に形成され、長尺方向の両端を凸半円弧状に形成している。固定部３０、可動部４０及び粘着シート５０は、平面視における外径形状が略一致している。
【００１３】
固定部３０の長尺方向の一端側における端部３０ｃには、長矩形状の切欠部３１１が形成される。切欠部３１１は固定部３０の両端部３０ｃ，３０ｄ方向に長尺となるように形成される。切欠部３１１の端部３０ｃ側における対向する内縁には、平面視凸円弧状の係合突起３１１ｂが形成される。係合突起３１１ｂは固定部３０の厚み方向において表面３０ａ側に設けられる。
【００１４】
図３における固定部３０の裏面３０ｂ側には、円形溝部３１２が形成される。円形溝部３１２の底部３１２ａの全体は略円形に形成されており、底部３１２ａの一部は切欠部３１１により切り欠かれている。また、切欠部３１１の内縁３１１ａは底部３１２ａ内に位置しており、底部３１２ａは端部３０ｃ側に開口した略Ｃ字状に形成される。このように、切欠部３１１と円形溝部３１２とにより被取付部３１が形成される。
【００１５】
図２における固定部３０の表面３０ａ側には、板厚方向に貫通する長尺のスリット３２が設けられる。スリット３２は、固定部３０の短幅方向の略中央に配置される。スリット３２は、長尺方向に亘って略同幅に延設される幅広部３２１と、この幅広部３２１から被取付部３１とは反対側の端部３０ｄ側において縮幅して延設される幅狭部３２２とを有する。幅狭部３２２は、幅広部３２１側から先端３２ｂ側にかけて徐々に縮幅するように形成される。幅広部３２１と幅狭部３２２とは、スリット３２の内縁に凸円弧状に形成される段部３２３を介して接続される。
【００１６】
幅広部３２１の長尺方向中央側の内縁には、凸円弧状の突起部３２４が複数形成される。突起部３２４は、幅広部３２１の内縁に対向するように複数組み配置されて、各組み同士は略等間隔に配置される。本実施形態の突起部３２４は、幅広部３２１の対向する内縁に３組設けられて、合計６個形成される。また、突起部３２４の基端３２４ａの幅と、スリット３２の長尺方向で隣接する突起部３２４間の幅とは略同幅に形成される。対向する突起部３２４同士の間隔は、幅広部３２１の幅の１／３程度に形成される。
【００１７】
図３に示すように、固定部３０はスリット３２の裏面側に両端部３０ｃ，３０ｄ方向に長尺の溝部３３を有する。溝部３３は、両端が凸半円弧状の略長方形状（換言すれば長丸状）に形成される。溝部３３はスリット３２よりも幅広に形成される。従って、スリット３２は、図３の裏面３０ｂ側から見ると溝部３３の底部３３１に形成される。また、図４に示すように、スリット３２の被取付部３１側の内縁３２ａと、溝部３３の被取付部３１側の内縁３３ａとは、連続して形成される。
【００１８】
固定部３０には、表面３０ａ側における切欠部３１１とスリット３２との間に、導電性の不織布により形成された静電気除去シート３４が設けられる。静電気除去シート３４は、表面３０ａ側から見た平面視において固定部３０の短手方向に長い略長矩形形状に形成される。静電気除去シート３４は、略長矩形状に形成された凹部３５内の底面と貼着される（図４も参照）。静電気除去シート３４の表面と、固定部３０の表面３０ａとは、略同一面上となるように形成される。
【００１９】
可動部４０は可撓性のある熱可塑性ポリウレタン（ＴＰＵ）により形成することができる。可動部４０の表面４０ａは端末１０に貼着した状態では支持具２０の主な露出面となり、この表面４０ａには任意の図柄、文字、形状等による装飾を施すことができる。また可動部４０の裏面４０ｂは、複数の突起を設けるなど微細な凹凸を形成して（不図示）滑り止めとして機能させることができる。
【００２０】
図３に示すように、可動部４０の裏面４０ｂ側には、取付部４１と摺動突起４２とが設けられる。取付部４１は、可動部４０の一端側であって、固定部３０の被取付部３１と対応する位置に設けられる。取付部４１は、基部４１１と、基部４１１の先端側に接続される係合板４１２とを有する。基部４１１は、全体を略直方体状としており一端面４１１ａを可動部４０の端面と連続するように形成している。
【００２１】
係合板４１２は、一部が略矩形状に突出した突出部４１２ｂを含む略円板状に形成される。係合板４１２は基部４１１により可動部４０の裏面４０ｂから離間するように設けられる（図４も参照）。突出部４１２ｂは基部４１１の一部と連続している。係合板４１２は、図３に示した円形溝部３１２の内周面よりやや小径の略Ｃ字状の周縁部４１２ａを有する。
【００２２】
係合板４１２には略長矩形状の凹溝４１３が形成される。凹溝４１３は、長尺方向が可動部４０の長尺方向と略一致するように設けられる。
【００２３】
取付部４１は被取付部３１に対し取り付けられる。このとき、基部４１１は切欠部３１１内に挿入されるとともに、係合板４１２は円形溝部３１２内に係合する。切欠部３１１には係合突起３１１ｂが形成されているため、基部４１１が切欠部３１１の開口方向に移動することを規制して、取付部４１が被取付部３１から脱して外れることを防止できる。
【００２４】
摺動突起４２は、裏面４０ｂから延設される基部４２１と、基部４２１の先端側に接続される略円板状の係合板４２２とを有する。基部４２１は、長丸状底部を有した柱状に形成される。基部４２１と係合板４２２とは、係合板４２２の中央側において接続される。基部４２１の短尺方向の幅は、スリット３２の幅広部３２１及び幅狭部３２２の幅よりもやや狭く形成され、対向する突起部３２４間の間隙幅よりもやや広く形成される。従って、摺動突起４２を幅広部３２１に沿って摺動させると、基部４２１は突起部３２４の位置で狭圧されて撓み、摺動突起４２は予め設定された力以上で押された場合に突起部３２４を前後に通過することができる。
【００２５】
係合板４２２には、一方面側に粘着層を有し他方面側に非粘着層を有する非粘着シート４２３が貼着されている。非粘着シート４２３の非粘着層は表面摩擦抵抗が弱く形成される。
【００２６】
粘着シート５０は、図４のＡ部拡大図に示すように、基部シート５１と、基部シート５１の一方面側に貼着される保護シート５２と、基部シート５１の他方面側に貼着される非粘着シート５３とを有する。
【００２７】
基部シート５１は両面を粘着面として形成しており、片面を固定部３０の裏面３０ｂ側と貼着している。保護シート５２は、基部シート５１に対して固定部３０の反対側において、容易に剥離可能に貼着される。保護シート５２の外形形状は基部シート５１と略同一としている。保護シート５２は予め基部シート５１の全面を覆うように貼り付けられており、端末１０に貼着する前に基部シート５１が意図せず物品等に付着することから保護することができる。
【００２８】
また、非粘着シート５３は、基部シート５１の固定部３０側の面のうち、溝部３３と対向する領域に設けられる。非粘着シート５３は、溝部３３の内縁の形状と略同じ長丸状に形成される。従って、摺動突起４２の係合板４２２が基部シート５１の粘着面に接触して貼り付くことを防止できる。また、非粘着シート４２３と非粘着シート５３を設けたことにより、摺動突起４２をスリット３２に沿って摺動させる際、摺動突起４２と粘着シート５０とが接しても摺動摩擦の増加を低減することができる。
【００２９】
このように形成した粘着シート５０は、表面５０ａ側を固定部３０の裏面３０ｂ側と貼着され、保護シート５２を剥がした粘着シート５０の裏面５０ｂ側を図１の端末１０と貼着される。
【００３０】
次に、支持具２０の収容状態及び使用状態について説明する。支持具２０を使用しない収容状態では、使用者は図４に示すように可動部４０の摺動突起４２を幅狭部３２２側へ移動させて、固定部３０と略平行に面当接させるように配置させることができる。従って、図１の破線に示すように、支持具２０の収容状態では、可動部４０Ａ（４０）を端末１０の裏面１２から殆ど突出しない状態とすることができる。
【００３１】
また、支持具２０の使用状態では、図４の破線の可動部４０Ｂ（４０）で示すように、可動部４０の摺動突起４２を取付部４１側へ摺動させて弛ませることで、可動部４０と固定部３０との間に空間６０を形成することができる。このとき、可動部４０Ｂ（４０）は僅かな弾発力で湾曲状態から元の平板形状に戻ろうとするが、突起部３２４により摺動突起４２の端部３０ｄ側への移動が規制される。よって可動部４０の湾曲状態を維持することができる。
【００３２】
このように可動部４０を湾曲させた支持具２０について、例えば図１に示した可動部４０の湾曲部４０１内側における空間６０に中指を挿入し、人差指を湾曲部４０１上方側の凹面部４０２に添えて中指と人差指で可動部４０を挟み、薬指を湾曲部４０１下方側の凹面部４０３に添えて中指と薬指で可動部４０を挟むと、使用者は端末１０を容易に安定支持することができる。また、可動部４０の凹面部４０２，４０３が指の丸みに沿って湾曲しているため、指へのフィット感を向上させることができる。
【００３３】
また、図４で、摺動突起４２をスリット３２内において被取付部３１側に摺動させた際に、静電気除去シート３４は、可動部４０の被取付部３１側の変曲部Ｌ１が静電気除去シート３４の上方に位置するように配置される。そのため、支持具２０により端末１０を保持すると、空間６０内に挿入した指を静電気除去シート３４に容易に触れさせることができ使用者に帯電した静電気を容易に除去することができる。よって、使用者と端末１０との間の放電を減らして端末１０の故障を防止し、安全性を向上させることができる。
【００３４】
また、摺動突起４２の基部４２１を支持させる突起部３２４を変更することにより、空間６０の大きさを容易に調整することができる。従って、支持具２０は、使用者の指の大きさや空間６０に挿入する指の本数等の違い等、支持方法に応じて任意に変形させることができる。
【００３５】
また、可動部４０を湾曲させた支持具２０は、例えば、湾曲部４０１と、端末１０の上面１０ａ、下面１０ｂ又は側面１０ｃ，１０ｄとを、机等の平面に当接させることにより、端末１０を傾倒させながら支持するスタンドとして使用することができる。
【００３６】
なお、本実施形態では、端末１０として電子機器の例を示したが、支持具２０は手鏡等の化粧用具、文具等の電子機器以外の携帯用品に取り付けて使用してもよい。
【００３７】
また、静電気除去シート３４は導電路を支持具２０の内部又は外部に形成して端末１０と電気的に接続させる構成としてもよい。これにより、端末１０を支持する使用者と、端末１０の筐体との電位差を容易に取り除くことができる。
【符号の説明】
【００３８】
１０      端末                        １０ａ    上面
１０ｂ    下面                        １０ｃ    側面
１０ｄ    側面                        １１      表面
１２      裏面                        ２０      支持具
３０      固定部                      ３０ａ    表面
３０ｂ    裏面                        ３０ｃ    端部
３０ｄ    端部                        ３１      被取付部
３２      スリット                    ３２ａ    内縁
３２ｂ    先端                        ３３      溝部
３３ａ    内縁                        ３４      静電気除去シート
３５      凹部                        ４０      可動部
４０Ａ    可動部                      ４０Ｂ    可動部
４０ａ    表面                        ４０ｂ    裏面
４１      取付部                      ４２      摺動突起
５０      粘着シート                  ５０ａ    表面
５０ｂ    裏面                        ５１      基部シート
５２      保護シート                  ５３      非粘着シート
６０      空間                        ３１１    切欠部
３１１ａ  内縁                        ３１１ｂ  係合突起
３１２    円形溝部                    ３１２ａ  底部
３２１    幅広部                      ３２２    幅狭部
３２３    段部                        ３２４    突起部
３２４ａ  基端                        ３３１    底部
４０１    湾曲部                      ４０２    凹面部
４０３    凹面部                      ４１１    基部
４１１ａ  一端面                      ４１２    係合板
４１２ａ  周縁部                      ４１２ｂ  突出部
４１３    凹溝                        ４２１    基部
４２２    係合板                      ４２３    非粘着シート
Ｌ１      変曲部
【図１】
0003218326.tif 000003
【図２】
0003218326.tif 000004
【図３】
0003218326.tif 000005
【図４】
0003218326.tif 000006